(57)【特許請求の範囲】
【請求項１】
腰掛け部を有する椅子本体と、腰掛け部の両側に設けられた肘あて部とを含む理美容椅子において、
上記肘あて部は、肘を載置できる使用姿勢と腰掛け部から垂下した垂下姿勢との間で姿勢変化できるように、腰掛け部の前後方向に沿う方向の回動中心軸を中心に回動可能に設けられており、
上記肘あて部を使用姿勢の状態でロックするロック機構が備えられ、
上記ロック機構は、
椅子本体側に固定される基部と、該基部に対して垂直方向に突出した、切欠部が形成された突出部とを有する係合部材と、
肘あて部側に固定される基板と、該基板に固着され、上記係合部材の切欠部内に挿入可能な係合ボスとを有する被係合部材と、
その外径が、上記被係合部材の係合ボスの内径に対応している係止部材と、
上記肘あて部を使用姿勢に姿勢変化させたとき、上記係合部材の切欠部内に上記被係合部材の係合ボスを挿入し、該係合ボス内に上記係止部材を手動でスライド移動させて、上記係合部材および上記被係合部材を連結して係止する手動操作部材と、を有する、
ことを特徴とする理美容椅子。
【請求項２】
請求項１記載の理美容椅子において、
上記ロック機構により肘あて部が使用姿勢の状態にロックされたときに、当該ロック状態を表示する表示部がさらに設けられていることを特徴とする理美容椅子。
【請求項３】
請求項２記載の理美容椅子において、
上記表示部は、ロック機構が肘あて部を使用姿勢の状態にロックしたときに、係止部材により入力状態とされるスイッチと、当該スイッチから出力される信号に基づいて点灯されるランプとを含んでいることを特徴とする理美容椅子。
【発明の詳細な説明】
【０００１】
【発明の属する技術分野】
この発明は、理容，美容用に使用される椅子に関するものであり、詳しくは、高齢者または身障者用に改良された理美容椅子に関するものである。
【０００２】
【従来の技術と発明が解決しようとする課題】
従来から、理美容椅子には、顧客（被施術者）がリラックスして施術を受けることができるように、リクライニング機構付きの背もたれや、両肘を載置できる肘あてが設けられている。
【０００３】
ところで、理美容椅子の両側に肘あてが設けられていることにより、腰掛けた状態では十分にリラックスすることができるのであるが、腰掛ける際に肘あてが邪魔になる場合がある。つまり、理美容椅子に腰掛ける際には、椅子の横側から腰掛けることができず、必ず椅子の前方側へ移動し、身体を後方へ移動させながら腰掛けなければならない。このことは、特に、高齢者や車椅子から理美容椅子に移動する際の身障者等にとっては、きわめて腰掛けにくいものである。
【０００４】
かかる不都合を避けるためには、たとえば肘あてを上方へ回動させることができる機構（実開平３−３５７４５号公報参照）を設けることが考えられる。このようにすれば、理美容椅子に腰掛ける際にも肘あてが邪魔にならず、身障者が車椅子から理美容椅子に移動する際にも楽に移動することが可能となる。
【０００５】
しかしながら、肘あてを上方へ回動させる機構を設けると、特に身障者が利用する場合に次のような新たな問題が生じる。すなわち、身障者が車椅子から理美容椅子に移動する際には、通常、介助者が必要であるが、このとき、肘あてを上方へ回動させただけでは、その回動させた肘あてが介助者にとって邪魔になり、結局のところ車椅子から理美容椅子への移動が困難なものとなってしまう。この問題を避けるために、肘あてを理美容椅子の上方からさらに後方側まで回動させればよいのであるが、一般に理容美容院では、理美容椅子の後方にシャンプー台等を配置する場合も多いため、これが邪魔になって、肘あてを椅子の後方まで回動させることができない場合も多いという特有の問題がある。
【０００６】
また、肘あてを上方へ回動させる機構を設けようとすると、必然的に肘あての回動中心軸を背もたれのリクライニング中心の近傍に配置しなければならないのであるが、このときに、背もたれのリクライニング機構等を損なわないように設計上の配慮が必要となる。さらに、最近の理美容椅子では、種々のいわゆる便利機構が装備されており、そのための操作パネルや椅子本体側と接続するための配線が肘あて部分に設けられている場合が多いため、肘あてを上方へ回動させることは、配線等の設計上多くの困難がある。
【０００７】
本発明は、かかる背景のもとになされたものであり、従来の種々の性能を維持したまま、高齢者や身障者でも容易に腰掛けることができる理美容椅子を提供することを目的とするものである。
【０００８】
【課題を解決するための手段】
(1) 本発明の目的を達成するため、請求項１に係る理美容椅子は、腰掛け部を有する椅子本体と、腰掛け部の両側に設けられた肘あて部とを含む理美容椅子において、上記肘あて部を使用姿勢の状態でロックするロック機構が備えられ、上記ロック機構は、椅子本体側に固定される基部と、該基部に対して垂直方向に突出した、切欠部が形成された突出部とを有する係合部材と、肘あて部側に固定される基板と、該基板に固着され、上記係合部材の切欠部内に挿入可能な係合ボスとを有する被係合部材と、その外径が、上記被係合部材の係合ボスの内径に対応している係止部材と、上記肘あて部を使用姿勢に姿勢変化させたとき、上記係合部材の切欠部内に上記被係合部材の係合ボスを挿入し、該係合ボス内に上記係止部材を手動でスライド移動させて、上記係合部材および上記被係合部材を連結して係止する手動操作部材と、を有することを特徴とするものである。
【０００９】
この構成によれば、肘あて部の回動中心軸が腰掛け部の前後方向に沿う方向に配置されているから、使用姿勢にある肘あて部を回動させることにより肘あて部を腰掛け部から垂下させて垂下姿勢に姿勢変化させることができる。また、肘あて部を腰掛け部の前後方向に沿う回動中心軸を中心に回動させることにより、肘あて部の姿勢変化に際して、肘あて部を椅子本体から大きく離反させることなくコンパクトに回動させることができる。さらに、ロック機構により、肘あて部を使用姿勢の状態にロックすることができる。また、椅子本体側に設けられた係合部材と肘あて部側に設けられた被係合部材とを係合させたうえで係止部材によって両者を連結するロック構造であるので、肘あて部を確実に使用姿勢に固定することができ、しかも、係止部材は、手動操作部材により手動で操作する構造であるから、肘あて部をロックする構造をきわめて簡単なものとすることができる。
【００１２】
(2) 本発明の目的を達成するため、請求項２に係る理美容椅子は、請求項１記載の理美容椅子において、上記ロック機構により肘あて部が使用姿勢の状態にロックされたときに、当該ロック状態を表示する表示部がさらに設けられていることを特徴とするものである。
【００１３】
この構成によれば、請求項1に係る発明と同様の作用を奏する。加えて、本請求項に係る発明では、表示部により、肘あて部が使用姿勢にロックされていることを確認することができる。
【００１４】
(3) 本発明の目的を達成するため、請求項３に係る理美容椅子は、請求項２記載の理美容椅子において、上記表示部は、ロック機構が肘あて部を使用姿勢の状態にロックしたときに、係止部材により入力状態とされるスイッチと、当該スイッチから出力される信号に基づいて点灯されるランプとを含んでいることを特徴とするものである。
【００１５】
この構成によれば、請求項２に係る発明と同様の作用を奏する。特に、本請求項に係る発明では、係止部材によりスイッチが入力され、このスイッチの出力信号に基づいてランプを点灯させるので、きわめて簡単な構造によって肘あて部が使用姿勢にロックされていることを確実に確認することができる。
【００１６】
【発明の実施の形態】
以下、本発明の実施の形態について説明する。
図１は、本実施の形態に係る理美容椅子１の外観斜視図であって、一対設けられている肘あて部２，３のうち肘あて部２を下方へ回動倒伏させた状態を示している。
【００１７】
本実施の形態の特徴とするところは、肘あて部２，３のいずれか一方または両方を図１に示すように垂下した状態に倒伏させることができるようになっている点であり、これにより、特に高齢者や身障者にとって使用しやすいものとなっている。以下、詳しく説明する。
【００１８】
図１を参照して、理美容椅子１は、椅子本体４と、上述した一対の肘あて部２，３とを有している。
椅子本体４は、ベース５と、ベース５上に取り付けられた腰掛け部６と、腰掛け部６の後方に、矢印７の方向に沿って回動自在に取り付けられた背もたれ部８と、腰掛け部６の前方下部に設けられた足掛け部９とを有している。
【００１９】
腰掛け部６は、フレーム１１を備えており、このフレーム１１がベース５に対して昇降自在に設けられている。フレーム１１の昇降動作は、図示していない昇降装置を介して行われるようになっている。また、背もたれ部８は、腰掛け部６に設けられたフレーム（図示せず）に取り付けられており、図示しないリクライニング装置を介して矢印７の方向にリクライニングできるようになっている。なお、背もたれ部８には、ヘッドレスト１０が設けられている。上記昇降装置やリクライニング装置は、既知のものを採用することができる。
【００２０】
肘あて部２，３は、腰掛け部６のフレーム１１に取り付けられており、図１に示すように左右対称に配置されている。各肘あて部２，３は、後に詳述するヒンジ機構１２およびロック機構１３を介して取り付けられており、被施術者が理美容椅子１に腰掛けた状態で肘を載置できる姿勢、すなわち、図１において肘あて部３の姿勢（使用姿勢）と、被施術者が理美容椅子１に乗り降りする際の姿勢、すなわち、図１において肘あて部２の姿勢（垂下姿勢）との間で姿勢変化が可能となっている。
【００２１】
図２，図３は、上記ヒンジ機構１２およびロック機構１３を示す要部斜視図である。なお、図では、肘あて部２側のヒンジ機構１２およびロック機構１３を理美容椅子１の前方斜め上方から見た状態を示しており、図２は、肘あて部２が使用姿勢から垂下姿勢へと姿勢変化する途中の状態、図３は、肘あて部２が使用姿勢から垂下姿勢へと姿勢変化した状態を示している。
【００２２】
これらの図を参照して、ヒンジ機構１２は、腰掛け部６のフレーム１１に固定された第１プレート１４と肘あて部２側に固定された第２プレート１５と、両プレート１４，１５に設けられたボス１６と、これらを回動自在に連結するピン１７（回動中心軸）とを有している。ピン１７の軸方向は、図１に示すように腰掛け部６の前後方向に沿うように配置されている。これにより、肘あて部２は、椅子本体４に対して外側へ開くように回動するようになっている。なお、肘あて部３側についても同様のヒンジ機構が設けられている。
【００２３】
ロック機構１３は、上記第１プレート１４に固定された第１係合板１８と、上記第２プレート１５に固定された第２係合部材１９と、これら第１係合板１８および第２係合部材１９を連結するための係止棒２０とを有している。
【００２４】
第１係合板１８は、たとえば鋼板を用いて構成することができ、スペーサ２１を介してねじ２２により第１プレート１４に締結されている。このスペーサ２１は、図３に示すように第１係合板１８と第２係合部材１９との係合を良好なものとするための位置決め調整部材として機能するのもである。第１係合板１８は、本実施形態では、図２，図３に示すように略Ｌ字状に形成されており、第１プレート１４に締結される基部２３と、この基部２３に対して垂直方向に突出する突出部２４とを有している。突出部２４の所定位置には、切欠部２５が形成されており、この切欠部２５に第２係合部材１９の一部が挿入されるようになっている（図３参照）。また、本実施の形態では、上記切欠部２５の近傍に、マイクロスイッチ２６が設けられている。マイクロスイッチ２６は、第１係合板１８と第２係合部材１９とが確実にロックされた状態を検出するものである。このマイクロスイッチ２６の機能については、後述する。
【００２５】
次に、第２係合部材１９は、第１係合板１８と同様にたとえば鋼板を用いて構成することができ、ねじ２２により第２プレート１５に締結されている。第２係合部材１９は、本実施形態では、基板２７と、これに固定された係合ボス２８とを有している。この係合ボス２８は、基板２７の略中央部にたとえば溶接により固着されており、図３に示すように、上記ヒンジ機構１２により肘あて部２を回動させた状態で第１係合板１８の切欠部２５内に挿入されるようになっている。また、基板２７の端部には、係止棒２０を支持するための支持ボス２９が固定されている。この支持ボス２９は、係合ボス２８と同様にたとえば溶接により固着されており、係合ボス２８と同様の内径を有し、係合ボス２８と同芯状に設けられている。支持ボス２８の外周面部には、図に示すように軸方向に延びる溝３０が形成されている。この溝３０は、支持ボス２９の内部に貫通しており、溝３０の端部（係合ボス２８側の端部）には、溝３０から支持ボス２９の周方向に延びる切欠溝３１が形成されている。
【００２６】
係止棒２０は、支持ボス２９を貫通した状態で支持ボス２９により支持されている。係止棒２０は、たとえば丸棒部材により構成することができる。係止棒２０の外径は、支持ボス２９の内径に対応させてあり、これにより、係止棒２０は、支持ボス２９に対して軸方向にスライド自在となっている。係止棒２０の外周面部には、ピン３２が取り付けられている。このピン３２は、支持ボス２９の溝３０に挿入されており、係止棒２０が支持ボス２９に対してスライドする際に溝３０内をスライド移動できるようになっている。
【００２７】
また、本実施の形態では、この係止棒２０に、手動ハンドル３３が一体的に形成されている。この手動ハンドル３３によって、係止棒２０を手動で容易にスライドさせることができるようになっている。
【００２８】
以上のような構成の理美容椅子１によれば、次のような作用効果を奏する。
(1) 肘あて部２の回動中心軸（ピン１７の軸方向）が腰掛け部６の前後方向に沿う方向に配置されているから、使用姿勢にある肘あて部２を回動させることにより肘あて部２を腰掛け部６の外側へ回動させて腰掛け部６から垂下させた姿勢（垂下姿勢）に姿勢変化させることができる。これにより、たとえば身障者が車椅子から理美容椅子１へ移る場合に、介助者が介助する際に肘あて部２が邪魔にならず、容易に乗り移らせることができる。なお、肘あて部３も同様の動作をすることが可能であるので、理美容椅子１の右側あるいは左側のいずれの方向からでも容易に乗り移ることができる。
【００２９】
しかも、肘あて部２，３を椅子本体４から大きく離反させることなくコンパクトに回動させることができる。これにより、肘あて部２，３に種々の配線等を配置する必要がある場合であっても、特別の設計上の不都合が生じることがなく、従来の理美容椅子の性能を犠牲にすることがない。また、ロック機構１３により、肘あて部２，３を使用姿勢の状態にロックすることができるので、従来の理美容椅子の安全性を損なうことがない。
【００３０】
(2) 特に、本実施の形態では、ロック機構１３に関して次のような作用効果を奏する。すなわち、図１の状態から肘あて部２を回動させて使用姿勢に姿勢変化させた場合、図３に示すように、第２係合部材１９の係合ボス２８が第１係合板１８の切欠部２５に挿入し、この状態で手動ハンドル３３を操作して係止棒２０を係合ボス２８に挿入する。これにより、第１係合板１８と第２係合部材１９とが係止され、その結果、肘あて部２が使用姿勢の状態にロックされる。このように、肘あて部２をロックする構造をきわめて簡単なものとすることができるので、理美容椅子１の大幅なコストの上昇を抑えることができる。
【００３１】
(3) また、本実施の形態では、係止棒２０を係合ボス２８に挿入すると、係止棒２０によってマイクロスイッチ２６が入力状態となる。そして、たとえば、このマイクロスイッチ２６の出力信号に基づいてランプを点灯させてロック状態を表示したり、ロック状態確認のための確認音を発するように設定することができる。このように、ロック機構１３により肘あて部２が使用姿勢の状態にロックされたことを表示する表示機能（表示部）を備えることにより、肘あて部２が使用姿勢にロックされていることを施術者が確認できるので、肘あて部２がロックされていない状態で施術するのを避けることができ、一層の安全性を確保することができる。特に、マイクロスイッチ２６の出力信号に基づいて点灯するランプを肘あて部２の側面部等に設けることにより、施術者が容易に確認することができる。
【００３２】
【発明の効果】
請求項１に係る発明によれば、肘あて部を腰掛け部から垂下する状態に回動させることができるから、たとえば身障者が車椅子から理美容椅子へ移る場合に、介助者が介助する際に肘あて部が邪魔にならず、容易に乗り移らせることができる。しかも、肘あて部を椅子本体から大きく離反させることなくコンパクトに回動させることができるから、肘あて部に種々の配線等が配置する必要がある場合でも、特別の設計上の不都合が生じることがなく、従来の理美容椅子の性能を犠牲にすることがない。さらに、肘あて部を使用姿勢の状態にロックすることができるから、従来通りの安全性を確保することができる。また、肘あて部をロックする構造をきわめて簡単なものとすることができるから、理美容椅子の大幅なコストの上昇を抑えることができるという利点がある。
【００３４】
請求項２に係る発明によれば、請求項１に係る発明と同様の効果を奏する。加えて、本請求項に係る発明では、肘あて部が使用姿勢にロックされていることを確認することができるから、肘あて部がロックされていない状態で施術するということを避けることができる。これにより、一層の安全性を確保することができる。
【００３５】
請求項３に係る発明によれば、請求項２に係る発明と同様の作用を奏する。特に、本請求項に係る発明では、係止部材により入力されるスイッチと、これにより点灯されるランプによって肘あて部のロック状態を確実に確認することができるという利点があり、しかも、かかる簡単な構造であるから、表示部を設けることによるコストの上昇を抑えることができる。
【図面の簡単な説明】
【図１】本実施の形態に係る理美容椅子の外観斜視図である。
【図２】ヒンジ機構およびロック機構を示す要部斜視図であって、肘あて部が使用姿勢から垂下姿勢へと姿勢変化する途中の状態を示す図である。
【図３】ヒンジ機構およびロック機構を示す要部斜視図であって、肘あて部が使用姿勢から垂下姿勢へと姿勢変化した状態を示す図である。
【符号の説明】
１    理美容椅子
２    肘あて部
３    肘あて部
４    椅子本体
６    腰掛け部
１１  フレーム
１３  ロック機構
１８  第１係合板
１９  第２係合部材
２０  係止棒
２５  切欠部
２６  マイクロスイッチ
２８  係合ボス
２９  支持ボス
３３  手動ハンドル
【図１】
0003980753.tif 000002
【図２】
0003980753.tif 000003
【図３】
0003980753.tif 000004